(57)【特許請求の範囲】
【請求項１】
薬液を患者組織にゆっくり注入するための歯科用自動注射器であって、薬液が封入される第１シリンダを設け、この第１シリンダの先端側に針を設け、前記第１シリンダの薬液を前記針から押し出すように前記第１シリンダ内を後端側から先端側に向かって押進動作されるピストンを設け、前記第１シリンダの後端側に第２シリンダを同軸に一体的に設け、この第２シリンダ内に第２シリンダ室を区画して設け、この第２シリンダ室に供給される作動流体の圧力により直線運動されて前記ピストンを押進動作させる作動ロッドを設け、前記第２シリンダ室に作動流体を供給する流体供給部を設け、この流体供給部と前記第２シリンダとを作動流体の流通する流体チューブにより連結して設けたことを特徴とする歯科用自動注射器。
【請求項２】
前記流体供給部は、作動流体を封入した第３シリンダを設け、この第３シリンダ内に供給用ピストンにより流体室を区画して設け、前記供給用ピストンを直線往復動作させる供給用ロッドを設け、前記流体室と前記第２シリンダの第２シリンダ室とを作動流体の流通する流体チューブにより連結して設けたことを特徴とする請求項１に記載の歯科用自動注射器。
【請求項３】
薬液を患者組織にゆっくり注入するための歯科用自動注射器であって、薬液が封入される第１シリンダを設け、この第１シリンダの先端側に針を設け、前記第１シリンダの薬液を前記針から押し出すように前記第１シリンダ内を後端側から先端側に向かって押進動作されるピストンを設け、前記第１シリンダの後端側に第２シリンダを同軸に一体的に設け、この第２シリンダ内に作動用ピストンにより押進用第２シリンダ室及び引退用第２シリンダ室を区画して設け、これら押進用第２シリンダ室及び引退用第２シリンダ室に供給される作動流体の圧力により前記作動用ピストンを介して直線往復運動されて前記ピストンを押進動作及び引退動作させる作動ロッドを設け、前記押進用第２シリンダ室及び引退用第２シリンダ室に夫々作動流体を供給する流体供給部を設け、この流体供給部と前記第２シリンダとを夫々押進用作動流体の流通する押進用流体チューブ及び引退用作動流体の流通する引退用流体チューブにより連結して設けたことを特徴とする歯科用自動注射器。
【請求項４】
前記流体供給部は、作動流体を封入した第３シリンダを設け、この第３シリンダ内に供給用ピストンにより押進用流体室及び引退用流体室を区画して設け、前記供給用ピストンを直線往復動作させる供給用ロッドを設け、前記押進用流体室と前記第２シリンダの押進用第２シリンダ室とを押進用作動流体の流通する押進用流体チューブにより連結して設け、前記引退用流体室と前記第２シリンダの引退用第２シリンダ室とを引退用作動流体の流通する引退用流体チューブにより連結して設けたことを特徴とする請求項３に記載の歯科用自動注射器。
【発明の詳細な説明】
【０００１】
【発明の属する技術分野】
この発明は歯科用自動注射器に係り、特に、小型・軽量化を図って操作性を向上し、消耗品を低減できる歯科用自動注射器に関する。
【０００２】
【従来の技術】
従来、病院等で、術者が患者を治療する場合に、例えば、術者が麻酔の注射をして患者の歯を治療する場合に、歯科用の注射器を利用している。この注射器は、薬液が封入されるカートリッジを設け、このカートリッジの先端側に針を設け、カートリッジの薬液を針から押し出すようにカートリッジ内を後端側から先端側に向かって押進動作されるピストンを設けて構成されている。しかし、この歯科用の注射器の針は、上腕用の注射器の針とは異なり、非常に細い径のものである。
【０００３】
このため、術者には、麻酔の注射器を使用する場合に、大きな力が必要とされる。例えば、１分間に０．２５ｍｌ程度の薬液（麻酔薬）をゆっくり注入する場合に、ピストンを押す力は、１２ｋｇｆ以上を必要としている。よって、その注射の作業が、術者に多大な労力とストレスとを与えていた。また、術者が多大な労力とストレスの下で作業しているので、患者にとっても苦痛を伴うものであった。
【０００４】
この不具合を解消するために、歯科用の注射器として、電動モータやギヤ機構等を組み合わせた歯科用自動注射器が利用されている。
【０００５】
【発明が解決しようとする課題】
ところが、従来、歯科用自動注射器にあっては、電動モータやギヤ機構等を組み合わせて構成されているので、全体的に重量が大きくなって術者に大きな負担を与えて、針先を微妙にコントロールすることが困難となり、よって、薬液を安定して注入することができなくなるとともに、術者にも、注射器を一定時間保持する必要があり、その負担がさらに大きくなり、且つ、患者に手動注射器の場合よりも大きな苦痛を与えてしまうという不都合があった。
【０００６】
また、本体内部に従来の薬液カートリッジをシリンダとして構成した注射器においては、本体内部の薬液カートリッジに一端側を連結したチューブの他端側に針を連結し、薬液カートリッジ内のピストンを先端側に向かって押進動作させ、薬液をチューブに圧送して針から押し出しているため、針及び針と本体とを連結するチューブを感染防護の観点から使い捨てにしなければならず、この費用は術者にとって大きな負担となる問題がある。
【０００７】
この発明は、上記事情に鑑みてなされたものであり、大幅な術者の負担が軽減され、患者の苦痛も大幅に低減することができ、また、消耗品であったチューブが不要となり、麻酔液を安定的に注入するとともに、針先の微妙なコントロールが可能なように注射器全体が軽く小さい歯科用自動注射器であり、なおかつ、消耗品も低減できる歯科用自動注射器を提供することを目的とする。
【０００８】
【課題を解決するための手段】
前記目的を達成するために、この発明は、薬液を患者組織にゆっくり注入するための歯科用自動注射器であって、薬液が封入される第１シリンダを設け、この第１シリンダの先端側に針を設け、前記第１シリンダの薬液を前記針から押し出すように前記第１シリンダ内を後端側から先端側に向かって押進動作されるピストンを設け、前記第１シリンダの後端側に第２シリンダを同軸に一体的に設け、この第２シリンダ内に第２シリンダ室を区画して設け、この第２シリンダ室に供給される作動流体の圧力により直線運動されて前記ピストンを押進動作させる作動ロッドを設け、前記第２シリンダ室に作動流体を供給する流体供給部を設け、この流体供給部と前記第２シリンダとを作動流体の流通する流体チューブにより連結して設けたことを特徴とする。
【０００９】
また、この発明は、薬液を患者組織にゆっくり注入するための歯科用自動注射器であって、薬液が封入される第１シリンダを設け、この第１シリンダの先端側に針を設け、前記第１シリンダの薬液を前記針から押し出すように前記第１シリンダ内を後端側から先端側に向かって押進動作されるピストンを設け、前記第１シリンダの後端側に第２シリンダを同軸に一体的に設け、この第２シリンダ内に作動用ピストンにより押進用第２シリンダ室及び引退用第２シリンダ室を区画して設け、これら押進用第２シリンダ室及び引退用第２シリンダ室に供給される作動流体の圧力により前記作動用ピストンを介して直線往復運動されて前記ピストンを押進動作及び引退動作させる作動ロッドを設け、前記押進用第２シリンダ室及び引退用第２シリンダ室に夫々作動流体を供給する流体供給部を設け、この流体供給部と前記第２シリンダとを夫々押進用作動流体の流通する押進用流体チューブ及び引退用作動流体の流通する引退用流体チューブにより連結して設けたことを特徴とする。
【００１０】
【発明の実施の形態】
この発明の歯科用自動注射器は、薬液が封入される第１シリンダの後端側に第２シリンダを同軸に一体的に設けており、第２シリンダ内の第２シリンダ室に流体供給部から作動流体を流体チューブによって供給すると、作動ロッドが作動流体の圧力により直線運動され、第１シリンダ内を後端側から先端側に向かってピストンを押進動作させ、第１シリンダの薬液を針から押し出し、薬液を組織に注入させることができる。
【００１１】
また、この発明の歯科用自動注射器は、薬液が封入される第１シリンダの後端側に第２シリンダを同軸に一体的に設けており、第２シリンダ内の押進用第２シリンダ室に流体供給部から作動流体を押進用流体チューブによって供給すると、作動ロッドが作動流体の圧力により直線押進運動され、第１シリンダ内を後端側から先端側に向かってピストンが押進動作され、第１シリンダの薬液を針から押し出し、薬液を組織に注入させることができ、第２シリンダ内の引退用第２シリンダ室に流体供給部から作動流体を引退用流体チューブによって供給すると、作動ロッドが作動流体の圧力により直線引退運動され、第１シリンダ内を前端側から後端側に向かってピストンが押進動作され、ピストンを元の位置に戻すことができる。
【００１２】
このように、この発明の歯科用自動注射器は、薬液を注入するための動力源として作動流体の圧力を使用するので、モータ等の電磁力を使用しないことから、コイル、磁石、電磁鋼板等の重量の大きな部品を不要とすることができ、全体的に小型・軽量となり、操作性を向上することができる。また、この発明の歯科用自動注射器は、第１シリンダの先端側に針を設け、流体供給部から作動流体を流体チューブにより第２シリンダの第２シリンダ室に供給し、作動ロッドにより第１シリンダ内のピストンを押進移動させて薬液を注入しているため、チューブを使い捨てすることがなく、使い捨てを不要とすることができる。
【００１３】
【実施例】
以下図面に基づいて、この発明の実施例を説明する。図１・図２は、この発明の第１実施例を示すものである。図１において、２は薬剤（例えば、歯科用の麻酔薬）を注入する歯科用自動注射器である。この歯科用自動注射器２は、薬液が封入される第１シリンダ４を設けている。第１シリンダ４は、前端側に密封部材６を固着して設け、密封部材６に針８を挿通して固定して設けている。また、第１シリンダ４は、後端側にシール部材９を摺動可能に内蔵して設け、このシール部材９に当接されるピストン１０を摺動可能に内蔵して設け、このピストン１０の外周面に第１シリンダ４の内周面との間をシールするＯリング１２を設けている。
【００１４】
第１シリンダ４は、密封部材６とシール部材９とにより内部に第１シリンダ室１４を区画して設けている。シール部材９に当接されるピストン１０は、第１シリンダ室１４の薬液を針８から押し出すように、第１シリンダ室１４内を後端側から先端側に向かって押進動作される。
【００１５】
この歯科用自動注射器２は、第１シリンダ４の後端側に第２シリンダ１６を同軸に設けている。第２シリンダ１６は、前端側に仕切部材１８を設け、仕切部材１８の挿通孔２０に作動ロッド２２を摺動可能に挿通して設け、仕切部材１８の挿通孔２０の内周面に作動ロッド２２の外周面との間をシールするＯリング２４を設けている。作動ロッド２２は、前端を第１シリンダ４のピストン１０の後端側に連絡し、後端側の外周面に第２シリンダ１６の内周との間をシールするＯリング２６を設けている。
【００１６】
第２シリンダ１６は、後端側に閉塞部２８を設け、作動流体の流通する連絡孔３０を設けている。第２シリンダ１６は、作動ロッド２２と閉塞部２８とにより内部に第２シリンダ室３２を区画して設けている。作動ロッド２２は、第２シリンダ室３２に供給される作動流体の圧力により直線運動されて、第１シリンダ４のピストン１０を押進動作させる。
【００１７】
歯科用自動注射器２は、第２シリンダ室３２に作動流体を供給する流体供給部３４を設けている。流体供給部３４は、作動流体を封入した第３シリンダ３６を設けている。第３シリンダ３６は、一端側に一側壁部３８を設け、一側壁部３８に作動流体の流通する供給孔４０を設けている。また、第３シリンダ３６は、中間部位に供給用ピストン４２を摺動可能に内蔵して設け、供給用ピストン４２の外周面に第３シリンダ３６の内周面との間をシールするＯリング４４を設けている。
【００１８】
さらに、第３シリンダ３６は、他端側に他側壁部４６を設け、他側壁部４６の挿通孔４８に供給用ロッド５０を摺動可能に挿通して設け、他側壁部４６の挿通孔４８の内周面に供給用ロッド５０の外周面との間をシールするＯリング５２を設けている。供給用ロッド５０は、内端を供給用ピストン４２の他側に連絡し、外端を図示しないモータ等の駆動源に連絡して設けている。供給用ロッド５０は、駆動源（図示せず）により駆動され、供給用ピストン４２を直線往復動作させる。
【００１９】
第３シリンダ３６は、一側壁部３８と供給用ピストン４２とにより内部に流体室５４を区画して設け、作動流体を封入して設けている。第３シリンダ３６は、一側壁部３８の供給孔４０を流体チューブ５６により第２シリンダ１６の閉塞部２８の連絡孔３０に連結して設けている。これにより、歯科用自動注射器２は、流体供給部３４と第２シリンダ１６とを作動流体の流通する流体チューブ５６により連結して設けている。なお、流体チューブ５６は、ホース５８に内蔵して設けている。
【００２０】
また、この歯科用自動注射器２は、図２に示す如く、第１シリンダ４と第２シリンダ１６とを、本体ケース６０とシリンダカバー６２と針ホルダ６４とにより被覆して、ハンドピース６６を構成している。
【００２１】
前記本体ケース６０は、円筒形状に形成され、内部に前記第２シリンダ１６及び仕切部材１８を取付ける取付孔６８を設けている。本体ケース６０は、取付孔６８の先端側に前記第２シリンダ１６及び仕切部材１８を配設して取付けて設け、後端側を開放して流体チューブ５６を挿通している。本体ケース６０は、先端側に径大円筒形状のケース側連結部７０を設け、ケース側連結部７０内に前記第１シリンダ４の後端側を配設する空間７２を形成し、ケース側連結部７０外周にケース側雄ねじ部７４を設けている。
【００２２】
前記シリンダカバー６２は、円筒形状に形成され、内部に前記第１シリンダ４を収納する収納孔７６を設けている。シリンダカバー６２は、収納孔７６の後端側に前記ケース側連結部７０に外装されるカバー側連結部７８を設け、カバー側連結部７８内周にケース側雄ねじ部７４に螺着されるカバー側雌ねじ部８０を設けている。シリンダカバー６２は、先端側に小径円柱形状のホルダ用連結部８２を設け、このホルダ用連結部８２に針８を挿通するカバー側針挿通孔８４を形成するとともにホルダ用連結部８２外周にホルダ用雄ねじ部８６を設けている。
【００２３】
前記針ホルダ６４は、後端側にホルダ用連結部８２に外装されるホルダ側連結部８８を設け、ホルダ側連結部８８内周にホルダ用雄ねじ部８６に螺着されるホルダ側雌ねじ部９０を設け、シール部材９２を収納するシール部材収納空間９４を設けている。針ホルダ６４は、先端側に針８を保持する針保持部９６を設け、針保持部９６に針８を挿通するホルダ側針挿通孔９８を形成して設けている。
【００２４】
ハンドピース６６は、本体ケース６０内に第２シリンダ１６及び仕切部材１８を配設して取付け、シリンダカバー６２内に第１シリンダ４を収納して針８をカバー側針挿通孔８４とホルダ側針挿通孔９８とに挿通し、針ホルダ６４をシール部材９２を介してシリンダカバー６２の先端側に螺着し、シリンダカバー６２のカバー側連結部７８を本体ケース６０のケース側連結部７０に螺着することにより構成される。
【００２５】
次に、第１実施例の作用を説明する。
【００２６】
術者が患者の組織に麻酔薬等の薬液を歯科用自動注射器２により注入する際には、ハンドピース６６のシリンダカバー６２内に薬液を封入した第１シリンダ４を収納して針ホルダ６４により針８を固定し、シリンダカバー６２を本体ケース６０に装着する。ハンドピース６６に第１シリンダ４を装着した歯科用自動注射器２は、本体ケース６０に取付けられた第２シリンダ１６に作動流体を供給する流体供給部３４を流体チューブ５６により連結されている。
【００２７】
歯科用自動注射器２は、針８の針先を患部の組織に当てた状態で、流体供給部３４の供給用ロッド５０を駆動源（図示せず）により直線押進動作させると、流体室５４の作動流体が流体チューブ５６に圧送され、第２シリンダ１６の第２シリンダ室３２に作動流体が供給される。
【００２８】
歯科用自動注射器２は、第２シリンダ１６内の第２シリンダ室３２に流体供給部３４から作動流体を流体チューブ５６によって供給すると、作動ロッド２２が作動流体の圧力により直線運動される。作動ロッド２２は、第１シリンダ４内の第１シリンダ室１４のピストン１０を後端側から先端側に向かって押進動作させ、第１シリンダ４の薬液を針８から押し出す。
【００２９】
歯科用自動注射器２は、針８から薬液を押し出しながら、患部の組織に針８を刺し込むことにより、薬液を組織に注入させることができる。
【００３０】
このように、この歯科用自動注射器２は、薬液を注入するための動力源として作動流体の圧力を使用するので、モータ等の電磁力を使用しないことから、コイル、磁石、電磁鋼板等の重量の大きな部品を不要とすることができるので、全体的に小型・軽量となり、操作性を向上することができる。したがって、この歯科用自動注射器２は、術者が保持するための労力を軽減させ、術者が神経を針先に集中させて針先を微妙にコントロールすることが容易となり、これにより、針先を薬液の注入状態に合わせてゆっくりと進めることが可能となり、薬液を患部の組織に安定して注入させることができる。
【００３１】
このため、この歯科用自動注射器２は、術者の力みによる針８のぶれを無くすことができ、ぶれにより針先に横方向からの力が加わることがないので、この方向にある薬液に浸潤されていない組織に破壊も生ずることがなく、また、組織への薬液の注入時に、針先は常に薬液が噴出しているので、針先が神経繊維に到達しても、神経繊維が針先から逃げてしまい、神経繊維を切り裂くことがなく、痛みが発生することがなく、患者の苦痛を軽減させることができる。
【００３２】
また、本体内部に従来の薬液カートリッジをシリンダとして構成した注射器においては、本体内部の薬液カートリッジに一端側を連結したチューブの他端側に針を連結し、薬液カートリッジ内のピストンを先端側に向かって押進動作させ、薬液をチューブに圧送して針から押し出しているため、針及び針と本体とを連結するチューブを使い捨てにしていた。しかし、この歯科用自動注射器２は、第１シリンダ４の先端側に針８を設け、流体供給部３４から作動流体を流体チューブ５６により第２シリンダ１６内の第２シリンダ室３２に供給し、作動ロッド２２により第１シリンダ４内のピストン１０を押進移動させて薬液を組織に注入しているため、従来のように流体チューブ５６を使い捨てすることがなく、使い捨てを不要とすることができ、消耗品を低減することができる。
【００３３】
図３・図４は、この発明の第２実施例を示すものである。この第２実施例の歯科用自動注射器１０２は、図３に示す如く、薬液が封入される第１シリンダ１０４を設けている。第１シリンダ１０４は、前端側に密封部材１０６を固着して設け、密封部材１０６に針１０８を挿通して固定して設けている。また、第１シリンダ１０４は、後端側にシール部材１０９を摺動可能に内臓して設け、このシール部材１０９に当接されるピストン１１０を摺動可能に内蔵して設け、このピストン１１０の外周面に第１シリンダ１０４の内周面との間をシールするＯリング１１２を設けている。
【００３４】
第１シリンダ１０４は、密封部材１０６とシール部材１０９とにより内部に第１シリンダ室１１４を区画して設けている。シール部材１０９に当接されるピストン１１０は、第１シリンダ室１１４の薬液を針１０８から押し出すように、第１シリンダ室１１４内を後端側から先端側に向かって押進動作される。
【００３５】
この歯科用自動注射器１０２は、第１シリンダ１０４の後端側に第２シリンダ１１６を同軸に設けている。第２シリンダ１１６は、前端側に仕切部材１１８を設け、仕切部材１１８の挿通孔１２０に作動ロッド１２２を摺動可能に挿通して設け、仕切部材１１８の挿通孔１２０の内周面に作動ロッド１２２の外周面との間をシールするＯリング１２４を設けている。作動ロッド１２２は、前端を第１シリンダ１０４のピストン１１０の後側に連絡し、後端に作動ピストン１２６を連絡し、作動ピストン１２６の外周面に第２シリンダ１１６の内周との間をシールするＯリング１２８を設けている。
【００３６】
第２シリンダ１１６は、後端側に閉塞部１３０を設け、作動流体の流通する押進用連絡孔１３２を設けている。また、第２シリンダ１１６は、前端側近傍に作動流体の流通する引退用連絡孔１３４を設けている。
【００３７】
第２シリンダ１１６は、仕切部材１１８と閉塞部１３０との間に作動ピストン１２６により内部に押進用第２シリンダ室１３６及び引退用第２シリンダ室１３８を区画して設けている。作動ピストン１２６は、押進用第２シリンダ室１３６及び引退用第２シリンダ室１３８に供給される作動流体の圧力により直線往復運動される。前記作動ロッド１２２は、作動ピストン１２６を介して第１シリンダ１０４のピストン１１０を押進動作及び引退動作させる。
【００３８】
歯科用自動注射器１０２は、押進用第２シリンダ室１３６及び引退用第２シリンダ室１３８に夫々作動流体を供給する流体供給部１４０を設けている。流体供給部１４０は、作動流体を封入した第３シリンダ１４２を設けている。第３シリンダ１４２は、一端側に一側壁部１４４を設け、一側壁部１４４に押進用作動流体の流通する押進用供給孔１４６を設けている。第３シリンダ１４２は、他端側近傍に引退用供給孔１４８を設けている。
【００３９】
また、第３シリンダ１４２は、中間部位に供給用ピストン１５０を摺動可能に内蔵して設け、供給用ピストン１５０の外周面に第３シリンダ１４２の内周面との間をシールするＯリング１５２を設けている。さらに、第３シリンダ１４２は、他端側に他側壁部１５４を設け、他側壁部１５４の挿通孔１５６に供給用ロッド１５８を摺動可能に挿通して設け、他側壁部１５４の挿通孔１５６の内周面に供給用ロッド１５８の外周面との間をシールするＯリング１６０を設けている。供給用ロッド１５８は、内端を供給用ピストン１５０の他側に連絡し、外端を図示しないモータ等の駆動源に連絡して設けている。供給用ロッド１５８は、駆動源（図示せず）により駆動され、供給用ピストン１５０を直線往復動作させる。
【００４０】
第３シリンダ１４２は、一側壁部１４４と他側壁部１５４との間に供給用ピストン１５０により内部に押進用流体室１６２及び引退用流体室１６４を区画して設け、夫々作動流体を封入して設けている。第３シリンダ１４２は、一側壁部１４４の押進用供給孔１４６を押進用流体チューブ１６６により第２シリンダ１１６の閉塞部１３０の押進用連絡孔１３２に連結して設けている。第３シリンダ１４２は、他側壁部１４４近傍の引退用供給孔１４８を引退用流体チューブ１６８により第２シリンダ１１６の閉塞部材１１８近傍の引退用連絡孔１３４に連結して設けている。
【００４１】
これにより、歯科用自動注射器１０２は、流体供給部１４０と第２シリンダ１１６とを押進用作動流体の流通する押進用流体チューブ１６６及び引退用作動流体の流通する引退用流体チューブ１６８により連結して設けている。なお、押進用流体チューブ１６６及び引退用流体チューブ１６８は、ホース１７０に内蔵して設けている。
【００４２】
また、この歯科用自動注射器１０２は、図４に示す如く、第１シリンダ１０４と第２シリンダ１１６とを、本体ケース１７２とシリンダカバー１７４と針ホルダ１７６とにより被覆して、ハンドピース１７８を構成している。
【００４３】
前記本体ケース１７２は、円筒形状に形成され、内部に前記第２シリンダ１１６及び仕切部材１１８を取付ける取付孔１８０を設けている。本体ケース１７２は、取付孔１８０の先端側に前記第２シリンダ１１６及び仕切部材１１８を配設して取付けて設け、後端側を開放して押進用流体チューブ１６６及び引退用流体チューブ１６８を挿通している。本体ケース１７２は、先端側に径大円筒形状のケース側連結部１８２を設け、ケース側連結部１８２内に前記第１シリンダ１０４の後端側を配設する空間１８４を形成し、ケース側連結部１８２外周にケース側雄ねじ部１８６を設けている。
【００４４】
前記シリンダカバー１７４は、円筒形状に形成され、内部に前記第１シリンダ１０４を収納する収納孔１８８を設けている。シリンダカバー１７４は、収納孔１８８の後端側に前記ケース側連結部１８２に外装されるカバー側連結部１９０を設け、カバー側連結部１９０内周にケース側雄ねじ部１８６に螺着されるカバー側雌ねじ部１９２を設けている。シリンダカバー１７４は、先端側に小径円柱形状のホルダ用連結部１９４を設け、このホルダ用連結部１９４に針１０８を挿通するカバー側針挿通孔１９６を形成するとともにホルダ用連結部１９４外周にホルダ用雄ねじ部１９８を設けている。
【００４５】
前記針ホルダ１７６は、後端側にホルダ用連結部１９４に外装されるホルダ側連結部２００を設け、ホルダ側連結部２００内周にホルダ用雄ねじ部１９８に螺着されるホルダ側雌ねじ部２０２を設け、シール部材２０４を収納するシール部材収納空間２０６を設けている。針ホルダ１７６は、先端側に針１０８を保持する針保持部２０８を設け、針保持部２０８に針１０８を挿通するホルダ側針挿通孔２１０を形成して設けている。
【００４６】
ハンドピース１７８は、本体ケース１７２内に第２シリンダ１１６及び仕切部材１１８を配設して取付け、シリンダカバー１７４内に第１シリンダ１０４を収納して針１０８をカバー側針挿通孔１９６とホルダ側針挿通孔２１０とに挿通し、針ホルダ１７６をシール部材２０４を介してシリンダカバー１７４の先端側に螺着し、シリンダカバー１７４のカバー側連結部１９０を本体ケース１７２のケース側連結部１８２に螺着することにより構成される。
【００４７】
次に、第２実施例の作用を説明する。
【００４８】
術者が患者の組織に麻酔薬等の薬液を歯科用自動注射器１０２により注入する際には、ハンドピース１７８のシリンダカバー１７４内に薬液を封入した第１シリンダ１０４を収納して針ホルダ１７６により針１０８を固定し、シリンダカバー１７４を本体ケース１７２に装着する。ハンドピース１７８に第１シリンダ１０４を装着した歯科用自動注射器１０２は、本体ケース１７２に取付けられた第２シリンダ１１６に作動流体を供給する流体供給部１４０を押進用流体チューブ１６６及び引退用流体チューブ１６８により連結されている。
【００４９】
歯科用自動注射器１０２は、針１０８の針先を患部の組織に当てた状態で、流体供給部１４０の供給用ロッド１５８を駆動源（図示せず）により直線押進動作させると、押進用流体室１６２の作動流体が押進用流体チューブ１６６に圧送され、第２シリンダ１１６の押進用第２シリンダ室１３６に作動流体が供給される。
【００５０】
歯科用自動注射器１０２は、第２シリンダ１１６内の押進用第２シリンダ室１３６に流体供給部１４０から作動流体を押進用流体チューブ１６６によって供給すると、作動ロッド１２２が作動流体の圧力により直線押進運動される。作動ロッド１２２は、第１シリンダ１０４内の第１シリンダ室１１４のピストン１１０を後端側から先端側に向かって押進動作させ、第１シリンダ１０４の薬液を針１０８から押し出す。
【００５１】
歯科用自動注射器１０２は、針１０８から薬液を押し出しながら、患部の組織に針１０８を刺し込むことにより、薬液を組織に注入させることができる。
【００５２】
また、歯科用自動注射器１０２は、薬液の注入が終了して針１０８を組織から抜いた後に、流体供給部１４０の供給用ロッド１５８を駆動源（図示せず）により直線引退動作させると、引退用流体室１６４の作動流体が引退用流体チューブ１６８に圧送され、第２シリンダ１１６の引退用第２シリンダ室１３８に作動流体が供給される。
【００５３】
歯科用自動注射器１０２は、第２シリンダ１１６内の引退用第２シリンダ室１３８に作動流体を供給すると、作動ロッド１２２が作動流体の圧力により直線引退運動され、第１シリンダ１０４内のピストン１１０を前端側から後端側に向かって引退動作させ、ピストン１１０を元の後端側の位置に戻すことができる。
【００５４】
このように、第２実施例の歯科用自動注射器１０２は、薬液を注入するための動力源として作動流体の圧力を使用するので、モータ等の電磁力を使用しないことから、コイル、磁石、電磁鋼板等の重量の大きな部品を不要とすることができるので、全体的に小型・軽量となり、操作性を向上することができる。したがって、この歯科用自動注射器１０２は、術者が保持するための労力を軽減させ、術者が神経を針先に集中させて針先を微妙にコントロールすることが容易となり、これにより、針先を薬液の注入状態に合わせてゆっくりと進めることが可能となり、薬液を患部の組織に安定して注入させることができる。
【００５５】
このため、この歯科用自動注射器１０２は、術者の力みによる針１０８のぶれを無くすことができ、ぶれにより針先に横方向からの力が加わることがないので、この方向にある薬液に浸潤されていない組織に破壊も生ずることがなく、また、組織への薬液の注入時に、針先は常に薬液が噴出しているので、針先が神経繊維に到達しても、神経繊維が針先から逃げてしまい、神経繊維を切り裂くことがなく、痛みが発生することがなく、患者の苦痛を軽減させることができる。
【００５６】
また、本体内部に従来の薬液カートリッジをシリンダとして構成した注射器においては、本体内部の薬液カートリッジに一端側を連結したチューブの他端側に針を連結し、薬液カートリッジ内のピストンを先端側に向かって押進動作させ、薬液をチューブに圧送して針から押し出しているため、針及び針と本体とを連結するチューブを使い捨てにしていた。しかし、この歯科用自動注射器１０２は、第１シリンダ１０４の先端側に針１０８を設け、流体供給部１４０から作動流体を押進用流体チューブ１６６により第２シリンダ１１６内の押進用第２シリンダ室１３６に供給し、作動ロッド１２２により第１シリンダ１０４内のピストン１１０を押進移動させて薬液を組織に注入しているため、従来のように流体チューブを使い捨てすることがなく、使い捨てを不要とすることができ、消耗品を低減することができる。
【００５７】
さらに、この歯科用自動注射器１０２は、流体供給部１４０から作動流体を引退用流体チューブ１６８により第２シリンダ１１６内の引退用第２シリンダ室１３８に供給し、作動ロッド１２２によりピストン１１０を引退移動させて元の位置に戻すことができるため、次の薬液注入のための第１シリンダ１０４の交換を容易にすることができる。
【００５８】
なお、この発明は、上述の実施例に限定されず、種々応用改変が可能であることは勿論である。
【００５９】
例えば、上述実施例においては、第２シリンダに作動流体を供給して作動ロッドを直線運動させたが、仕切部材の挿通孔と作動ロッドとをねじ嵌合として作動ロッドを回転しつつ直線運動させることにより、単純な直線運転よりも作動ロッドの移動速度を安定させることができ、これにより、第１シリンダのピストンの押進動作を安定させて薬液の押し出し量を定量とすることができる。
【００６０】
【発明の効果】
このように、この発明の歯科用自動注射器は、薬液を注入するための動力源として作動流体の圧力を使用するので、モータ等の電磁力を使用しないことから、コイル、磁石、電磁鋼板等の重量の大きな部品を不要とするので、全体的に小型・軽量となり、操作性が向上し、術者が保持するための労力を軽減させ、術者が神経を針先に集中させて針先を微妙にコントロールすることが容易となり、これにより、針先を薬液の注入状態に合わせてゆっくりと進めることが可能となり、薬液を安定して注入させることができる。
【００６１】
よって、この発明の歯科用自動注射器は、術者の力みによる針のぶれを無くすことができ、針先に横方向からの力が加わることがないので、この方向にある薬液に浸潤されていない組織に破壊も生ずることがなく、また、組織への薬液の注入時に、針先は常に薬液が噴出しているので、針先が神経繊維に到達しても、神経繊維が針先から逃げてしまい、神経繊維を切り裂くことがなく、痛みが発生することがなく、患者の苦痛を軽減させることができる。
【００６２】
また、本体内部に従来の薬液カートリッジをシリンダとして構成した注射器においては、本体内部の薬液カートリッジに一端側を連結したチューブの他端側に針を連結し、薬液カートリッジ内のピストンを先端側に向かって押進動作させ、薬液をチューブに圧送して針から押し出しているため、針及び針と本体とを連結するチューブを使い捨てにしていた。しかし、この発明の歯科用自動注射器は、第１シリンダの先端側に針を設け、流体供給部から作動流体を流体チューブにより第２シリンダに供給し、作動ロッドにより第１シリンダ内のピストンを押進移動させて薬液を注入しているため、流体チューブを使い捨てすることがなく、使い捨てを不要とすることができ、消耗品を低減することができる。
【図面の簡単な説明】
【図１】  第１実施例を示す歯科用自動注射器の概略構成図である。
【図２】  歯科用自動注射器のハンドピースの断面図である。
【図３】  第２実施例を示す歯科用自動注射器の概略構成図である。
【図４】  歯科用自動注射器のハンドピースの断面図である。
【符号の説明】
２  歯科用自動注射器
４  第１シリンダ
８  針
１０  ピストン
１４  第１シリンダ室
１６  第２シリンダ
２２  作動ロッド
３２  第２シリンダ室
３４  流体供給部
３６  第３シリンダ
４２  供給用ピストン
５０  供給用ロッド
５４  流体室
５６  流体チューブ
５８  ホース
６０  本体ケース
６２  シリンダカバー
６４  針ホルダ
６６  ハンドピース
【図１】
0004812922.tif 000002
【図２】
0004812922.tif 000003
【図３】
0004812922.tif 000004
【図４】
0004812922.tif 000005